(57)【要約】【課題】静電容量式スイッチの誤検出を抑制することができる食器洗浄機を提供すること。【解決手段】食器洗浄機は、前面が開口した箱状の洗浄機本体と、前面に扉を有し、上面が開口されて洗浄機本体内に前面開口部から前後方向に出し入れ可能に収容された洗浄槽と、洗浄槽を洗浄機本体から押し出すまたは引き出すスライド装置と、扉の前面に設けられた面材と、扉の前面に設けられ、対象物の接近または接触による静電容量の変化を検出する静電容量式スイッチと、静電容量式スイッチの入力に基づいてスライド装置を駆動させる制御装置と、を備え、制御装置は、静電容量式スイッチの検出出力の増幅率、閾値、または、増幅率および閾値を、面材の材質に応じた値に設定するものである。【選択図】図１
2020075006.tif 000002
【特許請求の範囲】
【請求項１】
前面が開口した箱状の洗浄機本体と、
前面に扉を有し、上面が開口されて前記洗浄機本体内に前面開口部から前後方向に出し入れ可能に収容された洗浄槽と、
前記洗浄槽を前記洗浄機本体から押し出すまたは引き出すスライド装置と、
前記扉の前面に設けられた面材と、
前記扉の前面に設けられ、対象物の接近または接触による静電容量の変化を検出する静電容量式スイッチと、
前記静電容量式スイッチの入力に基づいて前記スライド装置を駆動させる制御装置と、を備え、
前記制御装置は、
前記静電容量式スイッチの検出出力の増幅率、閾値、または、前記増幅率および前記閾値を、前記面材の材質に応じた値に設定する
食器洗浄機。
【請求項２】
ユーザーの操作指示入力を受け付ける操作部を備え、
前記制御装置は、
前記静電容量式スイッチの前記増幅率および前記閾値のうち少なくとも一方を前記操作部により調整可能な調整モードを有する
請求項１に記載の食器洗浄機。
【請求項３】
前記操作部により前記面材の材質が設定される
請求項２に記載の食器洗浄機。
【請求項４】
前記面材の材質を設定する材質設定スイッチを備えた
請求項１または２に記載の食器洗浄機。
【請求項５】
前記材質設定スイッチは、前記扉の前面に設けられた前記面材で覆われる位置に設けられている
請求項４に記載の食器洗浄機。
【請求項６】
設定された前記面材の材質に関する情報を報知する報知装置を備えた
請求項３〜５のいずれか一項に記載の食器洗浄機。
【発明の詳細な説明】
【技術分野】
【０００１】
本発明は、洗浄槽の出し入れの指示入力を受け付ける静電容量式スイッチを備えた食器洗浄機に関するものである。
【背景技術】
【０００２】
従来の食器洗浄機は、洗浄槽から食器等の出し入れを行う場合、洗浄槽には、湯沸しヒータ、洗浄ノズル、洗浄ポンプ、給水弁、排水ポンプ等が設けられており、これらや収容した食器等の重量が洗浄槽にかかる。そのため、手動による洗浄槽の引き出しが重く、大きな力を必要としていた。そこで、洗浄槽を洗浄機本体の前面開口部から自動的に押し出すまたは引き出すように構成することにより、洗浄槽の引き出しに大きな力を必要としない食器洗浄機が提案されている（例えば、特許文献１参照）。
【０００３】
特許文献１では、操作部に設けたオープンスイッチをＯＮすることにより、洗浄槽を洗浄機本体から押し出すまたは引き出すスライド装置を備えている。そして、スライド装置を、洗浄槽に取り付けられた本体部と、ラックを有し本体部に前後方向にスライド自在に支持されたスライドシャフトと、該スライドシャフトのラックと噛合いモータによって駆動されるピニオンとによって構成している。
【０００４】
また、キッチンに組み込まれて使用される食器洗浄機は、キッチンの意匠性を向上させるために、その正面に面材が設けられる。この面材には、キッチンの材質に合わせて木材または金属等、静電容量が異なる材質のものが用いられる。また、オープンスイッチとして静電容量式スイッチが用いられた場合、静電容量式スイッチでの検出出力と判定基準である閾値との比較により、ユーザーによる静電容量式スイッチの操作の有無の検出が行われる。
【先行技術文献】
【特許文献】
【０００５】
【特許文献１】特許第４９８６８０１号公報
【発明の概要】
【発明が解決しようとする課題】
【０００６】
静電容量式スイッチでの検出出力は、該スイッチの近傍に位置する面材の持つ静電容量によって変化するため、静電容量式スイッチで精度よく検出を行うためには、検出出力の増幅率等のパラメータを面材の材質に応じた値に設定する必要がある。しかしながら、特許文献１に記載されているような従来の食器洗浄機では、検出出力の増幅率等のパラメータが面材の材質に応じた値に設定されておらず、そのことが静電容量式スイッチの感度に影響が出て、誤検出に繋がるという課題があった。
【０００７】
本発明は、以上のような課題を解決するためになされたもので、静電容量式スイッチの誤検出を抑制することができる食器洗浄機を提供することを目的としている。
【課題を解決するための手段】
【０００８】
本発明に係る食器洗浄機は、前面が開口した箱状の洗浄機本体と、前面に扉を有し、上面が開口されて前記洗浄機本体内に前面開口部から前後方向に出し入れ可能に収容された洗浄槽と、前記洗浄槽を前記洗浄機本体から押し出すまたは引き出すスライド装置と、前記扉の前面に設けられた面材と、前記扉の前面に設けられ、対象物の接近または接触による静電容量の変化を検出する静電容量式スイッチと、前記静電容量式スイッチの入力に基づいて前記スライド装置を駆動させる制御装置と、を備え、前記制御装置は、前記静電容量式スイッチの検出出力の増幅率、閾値、または、前記増幅率および前記閾値を、前記面材の材質に応じた値に設定するものである。
【発明の効果】
【０００９】
本発明に係る食器洗浄機によれば、静電容量式スイッチの検出出力の増幅率、閾値、または、増幅率および閾値を、面材の材質に応じた値に設定する。そのため、静電容量式スイッチの感度低下を抑制でき、静電容量式スイッチの誤検出を抑制することができる。
【図面の簡単な説明】
【００１０】
【図１】本発明の実施の形態１に係る食器洗浄機の概略構成を示す右側方から見た断面図である。
【図２】本発明の実施の形態１に係る食器洗浄機がキッチンに組み込まれている状態を正面から見た模式図である。
【図３】本発明の実施の形態１に係る食器洗浄機から面材が取り外されている状態を正面から見た模式図である。
【図４】本発明の実施の形態１に係る食器洗浄機のタッチスイッチの分解斜視図である。
【図５】本発明の実施の形態１に係る食器洗浄機のタッチスイッチのブロック図である。
【図６】本発明の実施の形態１に係る食器洗浄機のスライド装置の動作を説明する第１の図である。
【図７】本発明の実施の形態１に係る食器洗浄機のスライド装置の動作を説明する第２の図である。
【図８】本発明の実施の形態１に係る食器洗浄機のスライド装置の動作を説明する第３の図である。
【図９】本発明の実施の形態１に係る食器洗浄機の機能ブロック図である。
【図１０】本発明の実施の形態１に係る食器洗浄機のパラメータ設定の制御を示すフローチャートである。
【図１１】本発明の実施の形態２に係る食器洗浄機のパラメータ変更の制御を示すフローチャートである。
【発明を実施するための形態】
【００１１】
以下、本発明の実施の形態を図面に基づいて説明する。なお、以下に説明する実施の形態によって本発明が限定されるものではない。また、以下の図面では各構成部材の大きさの関係が実際のものとは異なる場合がある。また、以下の説明において、理解を容易にするために方向を表す用語（例えば「上」、「下」、「左」、「右」、「前」、「後」等）を適宜用いるが、これは説明のためのものであって、これらの用語は本願発明を限定するものではない。
【００１２】
実施の形態１．
図１は、本発明の実施の形態１に係る食器洗浄機１００の概略構成を示す右側方から見た断面図である。
図１に示すように、本実施の形態１に係る食器洗浄機１００には、前面が開口した前面開口部を有し、食器洗浄機１００の外郭となるほぼ箱体形状の洗浄機本体１が設けられている。洗浄機本体１内には、上面が開口した上面開口部を有し、前面開口部から前後方向に出し入れ可能なほぼ箱体形状の洗浄槽２が設けられている。
【００１３】
洗浄槽２の上面には、洗浄槽２の上面開口部を開閉する内蓋１２が設けられている。また、洗浄槽２の前面には、洗浄機本体１内部に設けられた洗浄槽２が取り出される際に開閉する扉１３が設けられており、洗浄機本体１の内部には、扉１３の開閉を検出する扉開閉検出装置１４が設けられている。洗浄槽２内には、食器類３が載置される食器かご４と、洗浄槽２内に貯留されている水の温度を検出する水温検出装置１５と、洗浄水を加熱する湯沸しヒータ１８と、洗浄水を噴出する洗浄ノズル９とが設けられている。
【００１４】
洗浄槽２の下部には、洗浄ノズル９に洗浄水を圧送する洗浄ポンプ８と、洗浄により汚れた洗浄水を排出する排水ポンプ１１と、洗浄槽２を洗浄機本体１から押し出すまたは引き出すスライド装置４０とが設けられている。ここで、洗浄ポンプ８によって加圧された水は、洗浄ノズル９に送られてそこから水が食器類３に向けて噴射され、食器類３が洗浄される。そして、食器類３を洗浄後、洗浄槽２内に貯留された洗浄水は、排水ポンプ１１によって排水される。
【００１５】
洗浄槽２の側面下部に形成された開口と連通するフロート室１９には、洗浄槽２内に貯留されている水の水位を検出する水位検出装置１６が設けられている。
【００１６】
洗浄機本体１の内部には、水道水を洗浄槽２に供給する給水弁１０と、洗浄機本体１内に収容された洗浄槽２を保持するラッチ装置６が設けられている。そして、ラッチ装置６には、それを付勢するばね７が設けられている。また、洗浄槽２の後方には、食器類３を乾燥させるため洗浄槽２内に空気を供給する送風ファン１７が設けられている。
【００１７】
内蓋１２は、洗浄機本体１の内面上部に取り付けられている。内蓋１２には、リンク機構（図示せず）の一端が取り付けられていて、リンク機構の他端は洗浄機本体１の内面上部に取り付けられている。そして、このリンク機構により、洗浄機本体１から洗浄槽２が引き出される際に内蓋１２が持ち上がり、洗浄槽２を開放することができるようになっている。これにより、洗浄機本体１から洗浄槽２が引き出される際に、洗浄槽２と一緒に内蓋１２が引き出されないようになっている。一方で、洗浄槽２が押し込まれたときには、このリンク機構によって内蓋１２が下がり、洗浄槽２を閉塞することができるようになっている。
【００１８】
洗浄槽２は、洗浄機本体１に設けられた固定レール５と洗浄槽２に設けられた可動レール（図示せず）とにより、前方および後方に移動することができるようになっている。また、洗浄槽２は、洗浄機本体１の内部方向に所定の保持位置まで押し込まれると、ラッチ装置６により所定の位置に保持されるようになっている。このときラッチ装置６は、ばね７によって洗浄槽２が引き出し方向とは反対の力で付勢されるようになり、洗浄槽２を保持することができる。そのため、洗浄槽２が必要なとき以外は前方へ移動しないようになっている。
【００１９】
また、扉１３の背面と洗浄槽２の前面との間の空間には、食器洗浄機１００の動作を制御する制御装置５０が設けられている。
【００２０】
図２は、本発明の実施の形態１に係る食器洗浄機１００がキッチン２００に組み込まれている状態を正面から見た模式図である。図３は、本発明の実施の形態１に係る食器洗浄機１００から面材６６、６７が取り外されている状態を正面から見た模式図である。
【００２１】
図２に示すように、本実施の形態１に係る食器洗浄機１００は、キッチン２００に組み込まれて使用される。そして、食器洗浄機１００の正面の扉１３には、キッチン２００の意匠性を向上させるために面材６６、６７が設けられている。この面材６６、６７は、設置業者によって食器洗浄機１００がキッチン２００に組み込まれた後で設けられる。つまり、設置業者は、図３に示すように扉１３に面材６６、６７が設けられていない状態の食器洗浄機１００をキッチン２００に組み込み、その後で扉１３に面材６６、６７を設ける。また、面材６６、６７には、キッチン２００の材質に合わせて木材または金属等、静電容量が異なる材質のものが用いられる。なお、本実施の形態１では、面材６６、６７の材質には木材と金属とがあるものとする。
【００２２】
また、食器洗浄機１００の正面の扉１３の上側の面材６６と下側の面材６７との間には、操作パネル６０が設けられている。操作パネル６０には、操作部６１と、扉排気口６２と、表示部６３と、材質設定スイッチ６４と、報知装置６５とが設けられている。
【００２３】
操作部６１は、ユーザーの操作指示入力を受け付け、これに対応した操作信号を制御装置５０に出力するものである。操作部６１には、洗浄槽２の出し入れの指示入力を受け付けるタッチスイッチ２０、食器洗浄機１００の電源をＯＮまたはＯＦＦさせる指示入力を受け付ける電源スイッチ（図示せず）、および、食器洗浄機１００の運転をスタートまたは一時停止させる指示入力を受け付ける運転スイッチ（図示せず）等が設けられている。なお、以下においてタッチスイッチ２０は、静電容量式スイッチとも称する。
【００２４】
タッチスイッチ２０は、対象物の接近または接触による静電容量の変化を検出するものであり、ユーザーから洗浄槽２の出し入れの指示入力を受け付け、これに対応した操作信号を制御装置５０に出力するものである。このタッチスイッチ２０は、面材６６、６７の近傍に設けられている。なお、本実施の形態１では、タッチスイッチ２０は操作部６１に設けられているとしたが、それに限定されず、操作部６１とは独立して設けられていてもよい。
【００２５】
扉排気口６２は、洗浄槽２内の空気を食器洗浄機１００の外部へ排出するものである。表示部６３は、食器洗浄機１００の運転状態等を表示するものであり、例えば液晶ディスプレイ等で構成されている。
【００２６】
材質設定スイッチ６４は、扉１３に設けられた面材６６、６７の材質を設定するものである。材質設定スイッチ６４は、面材６６、６７で覆われる位置に設けられており、扉１３に面材６６、６７を設けることで、外部から見えないようになっている。この材質設定スイッチ６４は、設置業者によって設定される。つまり、設置業者が、食器洗浄機１００をキッチン２００に組み込む際に、扉１３に設けた面材６６、６７に応じた材質を、材質設定スイッチ６４で設定する。なお、材質設定スイッチ６４は、例えば切り替えスイッチであるが、それに限定されない。
【００２７】
報知装置６５は、材質設定スイッチ６４で設定されている面材６６、６７の材質に関する情報を報知するものであり、例えばＬＥＤで構成される報知装置６５が設けられている。なお、報知装置６５は、光ではなくブザー等の音で報知する手段でもよい。また、報知装置６５を設ける代わりに表示部６３が、材質設定スイッチ６４で設定されている面材６６、６７の材質に関する情報を報知するようにしてもよい。
【００２８】
図４は、本発明の実施の形態１に係る食器洗浄機１００のタッチスイッチ２０の分解斜視図である。図５は、本発明の実施の形態１に係る食器洗浄機１００のタッチスイッチ２０のブロック図である。
図４に示すように、タッチスイッチ２０は、タッチ基板２１と、タッチ部２２と、ゴム電極部２３と、を備えている。タッチ基板２１には、複数（本実施の形態１では４つ）の電極パターン２４〜２７が設けられている。また、タッチ部２２と、電極パターン２４〜２７と、ゴム電極部２３とでタッチ検出電極２９（後述する図５参照）が構成されており、それらは互いに導通している。
【００２９】
図５に示すように、タッチスイッチ２０は、検出部３０を備え、検出部３０は、発振部３１と、電圧変換部３２と、を備えている。
【００３０】
発振部３１は、高周波信号を出力し、その高周波信号に基づいて高周波電圧を形成してタッチ検出電極２９に印加する。ユーザーがタッチ検出電極２９に指で触れていない場合には、タッチ検出電極２９に印加される高周波電圧の電圧振幅は変化せず、電圧変換部３２へ出力される。これに対して、ユーザーがタッチ検出電極２９に指で触れている場合には、タッチ検出電極２９と大地との間の静電容量が変化する。その結果、タッチ検出電極２９に印加される高周波電圧の電圧振幅は静電容量の変化に応じて変化し、電圧変換部３２へ出力される。電圧変換部３２は、発振部３１の出力を電圧値の検出信号として制御装置５０の操作判定部５１へ出力する。
【００３１】
操作判定部５１は、電圧変換部３２から出力された検出信号（検出出力）を受信すると、人によるタッチスイッチ２０の操作が有ったか否かの判定を行う。具体的には、操作判定部５１は、まず電圧変換部３２から出力された検出出力である電圧値を読み込む。続いて、操作判定部５１は、読み込んだ電圧値を増幅させた後、その電圧値の絶対値がユーザーの操作の有無の判定基準である閾値の絶対値以上であるか否かを判定する。そして、操作判定部５１は、電圧値の絶対値が閾値の絶対値以上であると判定した場合には、ユーザーの操作が有ったと判定する。一方、操作判定部５１は、電圧値の絶対値が閾値の絶対値以上でないと判定した場合には、ユーザーの操作は無かったと判定する。
【００３２】
このように、操作判定部５１は、検出出力と閾値とを比較することによってタッチスイッチ２０の操作の有無を検出しているが、タッチスイッチ２０での検出出力は、該タッチスイッチ２０の近傍に位置する面材６６、６７の持つ静電容量によって異なる。そのため、タッチスイッチ２０で精度よく検出を行うためには、検出出力の増幅率および閾値を面材６６、６７の材質に応じた値に設定する必要がある。そこで、本実施の形態１に係る食器洗浄機１００では、面材６６、６７の材質に応じた検出出力の増幅率および閾値が設定されるように構成されている。
【００３３】
図６は、本発明の実施の形態１に係る食器洗浄機１００のスライド装置４０の動作を説明する第１の図である。図７は、本発明の実施の形態１に係る食器洗浄機１００のスライド装置４０の動作を説明する第２の図である。図８は、本発明の実施の形態１に係る食器洗浄機１００のスライド装置４０の動作を説明する第３の図である。
【００３４】
図６に示すように、スライド装置４０には本体部４１が設けられており、本体部４１には溝４２が形成されている。この溝４２には、ラック４４が設けられたスライドシャフト４３が、本体部４１に設けられた保持部４５に支持されて軸方向（前後方向）にスライド自在に挿入されている。また、本体部４１にはモータ４６が設けられており、モータ４６の出力軸にはラック４４と噛合うピニオン４７が設けられている。
【００３５】
このように構成されたスライド装置４０は、図７に示すように、洗浄槽２を洗浄機本体１内の所定の位置に収容したときは、スライドシャフト４３は本体部４１の溝４２の最奥部まで挿入されており、その先端部は洗浄機本体１の後壁に当接している（以下、スライドシャフト４３のこの状態を後退という）。このとき、リミッタ検出器４８は、スライドシャフト４３が所定の後退位置にあることを検出する。
【００３６】
一方、この状態でタッチスイッチ２０が押下されると、モータ４６に通電されてピニオン４７を反時計回り方向に回転させる。これにより、スライドシャフト４３は図７の右方に移動しようとするが、スライドシャフト４３の先端部は洗浄機本体１の後壁に当接しているので、図８に示すようにピニオン４７の回転に伴って本体部４１は洗浄機本体１の前面開口部方向に移動する。そして、本体部４１が取り付けられた洗浄槽２が、洗浄機本体１に設けられた固定レール５に沿って洗浄機本体１の前面開口部から前方に押し出される。
【００３７】
図９は、本発明の実施の形態１に係る食器洗浄機１００の機能ブロック図である。
制御装置５０は、例えば、専用のハードウェア、または記憶装置５２に格納されるプログラムを実行するＣＰＵ（Central Processing Unit、中央処理装置、処理装置、演算装置、マイクロプロセッサ、プロセッサともいう）で構成されている。
【００３８】
制御装置５０は、ユーザーから操作部６１を介して食器洗浄機１００への操作指示を受け付けたり、扉開閉検出装置１４等の装置から各種電気信号を受信したりする。そして、制御装置５０は、ユーザーからの操作指示または各種装置等からの電気信号に応じて、食器洗浄機１００の動作を制御する。すなわち、制御装置５０は、機器を構成する電気部品のうち少なくとも一つを制御するものである。
【００３９】
また、本実施の形態１に係る食器洗浄機１００は、各種駆動回路を備えている。湯沸しヒータ駆動回路５７は、制御装置５０からの制御指令を受けて湯沸しヒータ１８の温度を制御する。給水弁駆動回路５３は、制御装置５０からの制御指令を受けて給水弁１０の開閉等の動作を制御する。洗浄ポンプ駆動回路５４は、制御装置５０からの制御指令を受けて洗浄ポンプ８の動作を制御する。排水ポンプ駆動回路５５は、制御装置５０からの制御指令を受けて排水ポンプ１１の動作を制御する。送風ファン駆動回路５６は、制御装置５０からの制御指令を受けて送風ファン１７の回転数を制御する。表示部駆動回路５８は、制御装置５０からの制御指令を受けて表示部６３に表示される表示画を制御する。スライド装置駆動回路５９は、制御装置５０からの制御指令を受けてスライド装置４０のモータ４６の動作を制御する。
【００４０】
また、本実施の形態１に係る食器洗浄機１００には、面材６６、６７の材質に応じた検出出力の増幅率および閾値等の各種情報を記憶する記憶装置５２が設けられており、記憶装置５２は、電気配線またはプリント配線等により制御装置５０と接続されている。
【００４１】
図１０は、本発明の実施の形態１に係る食器洗浄機１００のパラメータ設定の制御を示すフローチャートである。
次に、本実施の形態１に係る食器洗浄機１００のパラメータ設定の制御について、図１０を用いて説明する。
【００４２】
（ステップＳ１０１）
ユーザーによって操作部６１から食器洗浄機１００の電源が投入（ＯＮ）されたら、制御装置５０が起動し、ステップＳ１０２の処理に進む。
【００４３】
（ステップＳ１０２）
制御装置５０は、タッチスイッチ２０の初期化処理を行う。
【００４４】
（ステップＳ１０３）
制御装置５０は、材質設定スイッチ６４で設定されている面材６６、６７の材質が、木材と金属のどちらであるかを判定する。制御装置５０が、面材６６、６７の材質として木材が設定されていると判定した場合（ＹＥＳ）、ステップＳ１０４の処理に進む。一方、制御装置５０が、面材６６、６７の材質として金属が設定されていると判定した場合（ＮＯ）、ステップＳ１０５の処理に進む。
【００４５】
（ステップＳ１０４）
制御装置５０は、記憶装置５２を参照し、面材６６、６７の材質が木材に対応したパラメータ（タッチスイッチ２０の検出出力の増幅率および閾値）を設定する。例えば、増幅率１、閾値４０ｍＶである。
【００４６】
（ステップＳ１０５）
制御装置５０は、記憶装置５２を参照し、面材６６、６７の材質が金属に対応したパラメータ（タッチスイッチ２０の検出出力の増幅率および閾値）を設定する。例えば、増幅率２、閾値５０ｍＶである。
【００４７】
なお、ステップＳ１０３において、制御装置５０が、材質設定スイッチ６４の故障等により面材６６、６７の材質として何が設定されているか判定できない場合は、表示部６３にその旨を表示させるようにしてもよいし、デフォルトのパラメータを設定するようにしてもよい。
【００４８】
また、本実施の形態１では、面材６６、６７の材質に対応したパラメータとして、タッチスイッチ２０の検出出力の増幅率および閾値の２つを設定しているが、それに限定されない。タッチスイッチ２０の検出出力の増幅率および閾値のうち、いずれか一方のパラメータのみを面材６６、６７の材質に対応した値に設定し、もう一方のパラメータを固定値としてもよい。
【００４９】
以上、本実施の形態１に係る食器洗浄機１００は、前面が開口した箱状の洗浄機本体１と、前面に扉１３を有し、上面が開口されて洗浄機本体１内に前面開口部から前後方向に出し入れ可能に収容された洗浄槽２と、を備えている。また、洗浄槽２を洗浄機本体１から押し出すまたは引き出すスライド装置４０と、扉１３の前面に設けられた面材６６、６７と、を備えている。また、扉１３の前面に設けられ、対象物の接近または接触による静電容量の変化を検出する静電容量式スイッチと、静電容量式スイッチの入力に基づいてスライド装置４０を駆動させる制御装置５０と、を備えている。そして、制御装置５０は、静電容量式スイッチの検出出力の増幅率、閾値、または、増幅率および閾値を、面材６６、６７の材質に応じた値に設定するものである。
【００５０】
本実施の形態１に係る食器洗浄機１００によれば、静電容量式スイッチの検出出力の増幅率、閾値、または、増幅率および閾値を、面材６６、６７の材質に応じた値に設定する。そのため、静電容量式スイッチの感度低下を抑制でき、静電容量式スイッチの誤検出を抑制することができる。
【００５１】
また、本実施の形態１に係る食器洗浄機１００は、面材６６、６７の材質を設定する材質設定スイッチ６４を備えたものである。本実施の形態１に係る食器洗浄機１００によれば、容易に面材６６、６７の材質を設定することができるとともに、食器洗浄機１００に電源を投入（ＯＮ）せずに面材６６、６７の材質を設定することができる。
【００５２】
また、本実施の形態１に係る食器洗浄機１００の材質設定スイッチ６４は、扉１３の前面に設けられた面材６６、６７で覆われる位置に設けられている。本実施の形態１に係る食器洗浄機１００によれば、材質設定スイッチ６４は、面材６６、６７で覆われて外部から見えないようになっているため、意匠性を向上させることができるとともに、誤操作を防止することができる。
【００５３】
また、本実施の形態１に係る食器洗浄機１００は、設定された面材６６、６７の材質に関する情報を報知する報知装置６５を備えたものである。本実施の形態１に係る食器洗浄機１００によれば、ユーザーが設定された面材６６、６７の材質に関する情報を容易に知ることができる。
【００５４】
なお、本実施の形態１に係る食器洗浄機１００では、扉１３に設けられた面材６６、６７の材質の設定が、材質設定スイッチ６４で行われる構成としたが、操作部６１で行われる構成としてもよい。また、本実施の形態１に係る食器洗浄機１００では、面材６６、６７の材質を木材と金属の２種類に設定したが、これらに加えて面材６６、６７に使用される可能性のある樹脂等の素材を設定してもよい。
【００５５】
実施の形態２．
以下、本発明の実施の形態２について説明するが、実施の形態１と重複するものについては説明を省略し、実施の形態１と同じ部分または相当する部分には同じ符号を付す。
【００５６】
本実施の形態２に係る制御装置５０は、洗浄動作を行う通常モードの他、タッチスイッチ２０の増幅率および閾値のうち少なくとも一方のパラメータを、ユーザーが操作部６１により調整可能な調整モードを有する。つまり、本実施の形態２に係る食器洗浄機１００では、調整モード時、ユーザーが操作部６１からパラメータを調整することができる。
【００５７】
図１１は、本発明の実施の形態２に係る食器洗浄機１００のパラメータ変更の制御を示すフローチャートである。
次に、本実施の形態２に係る食器洗浄機１００のパラメータ設定の制御について、図１１を用いて説明する。
【００５８】
（ステップＳ２０１）
ユーザーによって操作部６１から食器洗浄機１００の電源がＯＮされたら、制御装置５０が起動し、ステップＳ２０２の処理に進む。
【００５９】
（ステップＳ２０２）
制御装置５０は、タッチスイッチ２０の初期化処理を行う。
【００６０】
（ステップＳ２０３）
制御装置５０は、ユーザーによって操作部６１から調整モードが選択されたかどうかを判定する。なお、調整モードの選択は、表示部６３にモード選択画面を表示させて選択させる構成でもよいし、操作部６１の特定のスイッチを長押し、あるいは複数回押し等、特殊操作することで行われる構成でもよい。制御装置５０が、調整モードが選択されたと判定した場合（ＹＥＳ）、ステップＳ２０４の処理に進む。一方、制御装置５０が、調整モードが選択されていないと判定した場合（ＮＯ）、再度ステップＳ２０３の処理を行う。
【００６１】
（ステップＳ２０４）
制御装置５０は、モードを通常モードから調整モードに移行させ、表示部６３に調整モードに関する画面を表示させる。
【００６２】
（ステップＳ２０５）
制御装置５０は、ユーザーによって操作部６１からタッチスイッチ２０の増幅率および閾値のうち少なくとも一方の変更があったかどうか、つまりパラメータ変更があったかどうかを判定する。制御装置５０が、ユーザーによって操作部６１からパラメータ変更があったと判定した場合（ＹＥＳ）、ステップＳ２０７の処理に進む。一方、制御装置５０が、ユーザーによって操作部６１からパラメータ変更がないと判定した場合（ＮＯ）、ステップＳ２０６の処理に進む。
【００６３】
（ステップＳ２０６）
制御装置５０は、ユーザーによって操作部６１から調整モードのキャンセルがあったかどうかを判定する。制御装置５０が、ユーザーによって操作部６１から調整モードのキャンセルがあったと判定した場合（ＹＥＳ）、ステップＳ２０８の処理に進む。一方、制御装置５０が、ユーザーによって操作部６１から調整モードのキャンセルがないと判定した場合（ＮＯ）、ステップＳ２０５の処理に戻る。
【００６４】
（ステップＳ２０７）
制御装置５０は、変更後のパラメータを記憶装置５２に記憶し、パラメータ変更を行う。
【００６５】
（ステップＳ２０８）
制御装置５０は、調整モードを終了させ、通常モードに戻る。
【００６６】
なお、本実施の形態２に係る食器洗浄機１００では、制御装置５０が、調整モードとそれ以外である通常モードとの２つのモードを有する構成としたが、それに限定されず、３つ以上のモードを有する構成としてもよい。
【００６７】
以上、本実施の形態２に係る食器洗浄機１００の制御装置５０は、タッチスイッチ２０の増幅率および閾値のうち少なくとも一方を操作部６１により調整可能な調整モードを有するものである。
【００６８】
本実施の形態２に係る食器洗浄機１００によれば、ユーザーがタッチスイッチ２０の増幅率および閾値のうち少なくとも一方を操作部６１により調整可能なため、タッチスイッチ２０の感度をさらに向上させることができる。
【符号の説明】
【００６９】
１  洗浄機本体、２  洗浄槽、３  食器類、４  食器かご、５  固定レール、６  ラッチ装置、７  ばね、８  洗浄ポンプ、９  洗浄ノズル、１０  給水弁、１１  排水ポンプ、１２  内蓋、１３  扉、１４  扉開閉検出装置、１５  水温検出装置、１６  水位検出装置、１７  送風ファン、１８  湯沸しヒータ、１９  フロート室、２０  タッチスイッチ、２１  タッチ基板、２２  タッチ部、２３  ゴム電極部、２４  電極パターン、２５  電極パターン、２６  電極パターン、２７  電極パターン、２８  報知装置、２９  タッチ検出電極、３０  検出部、３１  発振部、３２  電圧変換部、４０  スライド装置、４１  本体部、４２  溝、４３  スライドシャフト、４４  ラック、４５  保持部、４６  モータ、４７  ピニオン、４８  リミッタ検出器、５０  制御装置、５１  操作判定部、５２  記憶装置、５３  給水弁駆動回路、５４  洗浄ポンプ駆動回路、５５  排水ポンプ駆動回路、５６  送風ファン駆動回路、５７  湯沸しヒータ駆動回路、５８  表示部駆動回路、５９  スライド装置駆動回路、６０  操作パネル、６１  操作部、６２  扉排気口、６３  表示部、６４  材質設定スイッチ、６５  報知装置、６６  面材、６７  面材、１００  食器洗浄機、２００  キッチン。
【図１】
2020075006.tif 000003
【図２】
2020075006.tif 000004
【図３】
2020075006.tif 000005
【図４】
2020075006.tif 000006
【図５】
2020075006.tif 000007
【図６】
2020075006.tif 000008
【図７】
2020075006.tif 000009
【図８】
2020075006.tif 000010
【図９】
2020075006.tif 000011
【図１０】
2020075006.tif 000012
【図１１】
2020075006.tif 000013